(57)【要約】  本発明の実施形態は、端末装置および測位システムを提供し、通信技術の分野に関する。端末装置は、ネットワーク装置によって構成された補助データに基づいて、少なくとも2つのアンテナ素子の識別子と、少なくとも2つのアンテナ素子のそれぞれに対応する基準信号の属性情報とを取得し、属性情報に基づいて少なくとも2つの基準信号を受信し、少なくとも2つの基準信号は、少なくとも2つのアンテナ素子の対応するアンテナ素子によってそれぞれ送信され、少なくとも2つの基準信号を測定することによって測位情報を取得し、測位情報と、測位情報に対応するアンテナ素子の識別情報とをネットワーク装置に送信するように構成される。異なるアンテナ素子によって得られる測位信号は異なるので、端末装置は、受信した測位信号がどのアンテナ素子から来るのかを識別することができる。したがって、改良された分散アンテナシステムは、端末装置の測位を実現し、屋内の測位精度を改善することができる。
2019505781.tif 000002
【特許請求の範囲】
【請求項１】
受信機と、送信機と、プロセッサと、メモリとを備えた端末装置であって、前記受信機、前記送信機、および前記メモリは、前記プロセッサに別々に接続され、前記プロセッサは、
ネットワーク装置によって構成された補助データに基づいて、少なくとも2つのアンテナ素子の識別子と、前記少なくとも2つのアンテナ素子のそれぞれに対応する基準信号の属性情報とを取得し、前記属性情報に基づいて少なくとも2つの基準信号を受信し、前記少なくとも2つの基準信号は、前記少なくとも2つのアンテナ素子の対応するアンテナ素子によってそれぞれ送信され、前記少なくとも2つの基準信号を測定することによって測位情報を取得し、前記測位情報と、前記測位情報に対応するアンテナ素子の識別情報とを前記ネットワーク装置に送信する
ように構成される、端末装置。
【請求項２】
前記測位情報が到着時間差を含み、前記プロセッサは、前記少なくとも2つの基準信号の、2つのアンテナ素子それぞれによって送信された基準信号間の到着時間差を取得するように構成される、請求項1に記載の端末装置。
【請求項３】
前記プロセッサが、前記ネットワーク装置によって送信された前記補助データを受信するように構成される、請求項1に記載の端末装置。
【請求項４】
受信機と、送信機と、プロセッサと、メモリとを備えたネットワーク装置であって、前記受信機、前記送信機、および前記メモリは前記プロセッサに別々に接続され、前記プロセッサは所定数の基準信号を生成するように構成され、各基準信号は、異なる属性情報を有し、
前記ネットワーク装置は、周波数変換モジュールおよび局部発振器モジュールをさらに備え、前記局部発振器モジュールは前記周波数変換モジュールに接続され、前記周波数変換モジュールは前記送信機に接続され、
前記周波数変換モジュールは、前記局部発振器モジュールによって生成された異なる局部周波数に基づいて、前記生成された所定数の基準信号のキャリア周波数を異なるキャリア周波数にそれぞれ変換するように構成され、前記所定数の基準信号は前記送信機を介して所定数のアンテナ素子に送信される、
ネットワーク装置。
【請求項５】
受信機と、送信機と、プロセッサと、メモリとを備えたネットワーク装置であって、前記受信機、前記送信機、および前記メモリは前記プロセッサに別々に接続され、前記プロセッサは所定数のスクランブリングコードを取得し、所定数の基準信号を生成するように構成され、各基準信号は異なるスクランブリングコードによってスクランブルされ、各基準信号は異なる属性情報を有し、
前記ネットワーク装置は、スクランブリングモジュールと、スクランブリングコード生成モジュールとをさらに備え、前記スクランブリングモジュールは、前記スクランブリングコード生成モジュールに接続され、前記スクランブリングモジュールは、前記送信機に接続され、
前記スクランブリングコード生成モジュールは、所定数のスクランブリングコードを生成するように構成され、
前記スクランブリングモジュールは、所定数の基準信号を生成するように構成され、各基準信号は、異なるスクランブリングコードによってスクランブルされ、前記所定数の基準信号は、前記送信機を介して所定数のアンテナ素子に送信される、
ネットワーク装置。
【請求項６】
ネットワーク装置と複数のアンテナ素子とを備えた測位システムであって、
前記ネットワーク装置は、複数の基準信号を生成し、前記複数の基準信号のキャリア周波数を異なるキャリア周波数にそれぞれ変換し、前記複数の基準信号を前記複数のアンテナ素子に送信するように構成され、各基準信号は異なる属性情報を有し、
前記複数のアンテナ素子の各々は、前記ネットワーク装置によって送信された前記複数の基準信号を受信した後、前記アンテナ素子に対応するキャリア周波数で搬送される基準信号に対して周波数混合処理を実行し、特定の基準信号を取得し、前記特定の基準信号を端末装置に送信するように構成される、
測位システム。
【請求項７】
各アンテナ素子が、前記特定の基準信号を取得した後、前記特定の基準信号に対して、特定の偏波タイプを用いて偏波処理を実行し、前記偏波された特定の基準信号を前記端末装置に送信するようにさらに構成される、請求項6に記載のシステム。
【請求項８】
ネットワーク装置と複数のアンテナ素子とを備えた測位システムであって、
前記ネットワーク装置は、所定数のスクランブリングコードを取得し、各基準信号が異なるスクランブリングコードによってスクランブルされ、各基準信号が異なる属性情報を有する複数の基準信号を生成し、前記複数のアンテナ素子に前記複数の基準信号を送信するように構成され、
前記複数のアンテナ素子の各々は、前記複数の基準信号を受信した後、前記アンテナ素子のスクランブリングコードに対応する基準信号に対してデスクランブル処理を実行して、特定の基準信号を取得し、前記特定の基準信号を端末装置に送信するように構成される、
測位システム。
【請求項９】
各アンテナ素子が、前記特定の基準信号を取得した後、前記特定の基準信号に対して、特定の偏波タイプを用いて偏波処理を実行し、前記偏波された特定の基準信号を前記端末装置に送信するようにさらに構成される、請求項8に記載のシステム。
【請求項１０】
ネットワーク装置と複数のアンテナ素子とを備えた測位システムであって、
前記ネットワーク装置は、基準信号を生成し、前記基準信号を前記複数のアンテナ素子に送信するように構成され、
前記複数のアンテナ素子の各々は、前記基準信号を受信した後、前記基準信号に対して特定の偏波タイプを用いて偏波処理を実行し、異なる偏波タイプの複数の基準信号を取得し、前記複数の基準信号を端末装置に送信するように構成される、
測位システム。
【発明の詳細な説明】
【技術分野】
【０００１】
本発明は、無線通信技術の分野に関し、特に、端末装置および測位システムに関する。
【背景技術】
【０００２】
通信技術と通信サービスが発展するにつれて、位置情報サービスは、移動通信およびパーソナル通信サービスの不可欠な部分として重要な役割を果たしている。例えば、インテリジェントトラフィック、車両ナビゲーション、走行案内、緊急警報、ならびにネットワーク計画および最適化のような、移動端末の位置に基づいて、すべての位置情報サービスに対して正確で効率的な測位方法が要求される。しかし、現在広く普及しているGPS（Global Positioning System、全地球測位システム）測位技術では、衛星信号が屋内で受信されないか、屋内で受信される信号が過度に弱いため、屋内測位を実施することができない。無線ローカルエリアネットワーク、ブルートゥース(登録商標)などに基づく屋内測位技術のようないくつかの屋内測位技術は、屋内測位を実施することができるが、大規模なサードパーティ装置の設置を必要とする。これにより、設置およびメンテナンスのコストが高くなるだけでなく、環境への影響が大きいためにシステムのパフォーマンスが不安定になる。現在、スマートフォンの普及に伴い、移動体通信ネットワークを用いて屋内測位を行うことが一般的な測位手法となっている。
【０００３】
従来技術では、移動通信ネットワークに基づく頻繁に使用される測位方法は、OTDOA（Observed Time Difference of Arrival、観測到着時間差）技術である。この測位方法の測位プロセスでは、複数の基地局から送信された異なるPRS（Positioning Reference Signal、測位基準信号）を受信した後、端末装置が受信した2つのPRSの時間差を算出し、複数の時間差と各時間差に対応する基地局識別子とを測位サーバに送信する。測位サーバは、時間差とその時間差に対応する基地局識別子とのそれぞれについて、時間差と基地局識別子に対応する基地局位置とに基づいて双曲線測位領域を算出し、最終的に複数の双曲線測位領域を取得する。次いで、複数の双曲測位領域の交点を算出することにより、端末装置の位置情報を取得する。
【０００４】
本発明を実施するプロセスにおいて、本発明者は、先行技術が少なくとも以下の問題を課されていることを見出した：
【０００５】
測位プロセスでは、測位に参加するノードがマクロ基地局である。屋内環境では、マルチパス環境やNLOS（Non Line Of Sight、非見通し）環境などの伝搬環境の影響により、端末装置が受信する信号の品質が弱い、あるいは信号が受信されない。その結果、正確な測位を行うことができず、測位精度が悪い。
【発明の概要】
【課題を解決するための手段】
【０００６】
従来技術におけるこの問題を解決するために、本発明の実施形態は、端末装置および測位システムを提供する。
【０００７】
第1の態様によれば、端末装置が提供され、端末装置は、受信機と、送信機と、プロセッサと、メモリとを含み、受信機、送信機、およびメモリは、プロセッサに別々に接続され、プロセッサは、
ネットワーク装置によって構成された補助データに基づいて、少なくとも2つのアンテナ素子の識別子と、少なくとも2つのアンテナ素子のそれぞれに対応する基準信号の属性情報とを取得し、属性情報に基づいて少なくとも2つの基準信号を受信し、少なくとも2つの基準信号は、少なくとも2つのアンテナ素子の対応するアンテナ素子によってそれぞれ送信され、少なくとも2つの基準信号を測定することによって測位情報を取得し、測位情報と、測位情報に対応するアンテナ素子の識別情報とをネットワーク装置に送信する
ように構成される。端末装置は、受信した基準信号がどのアンテナ素子から来るかを識別することができる。したがって、改良された分散アンテナシステムは、端末装置の測位を実現し、屋内の測位精度を改善することができる。
【０００８】
第1の態様に関して、第1の態様の第1の可能な実装形態では、測位情報は到着時間差を含み、プロセッサは、少なくとも2つの基準信号の、2つのアンテナ素子それぞれによって送信された基準信号間の到着時間差を取得するように構成される。端末装置は、各基準信号を送信するアンテナ素子を識別することができるので、観測到着時間差による測位方法を分散測位システムに適用して屋内測位を実施することができる。
【０００９】
第1の態様に関して、第1の態様の第2の可能な実装形態では、プロセッサは、ネットワーク装置によって送信された補助データを受信するように構成される。補助データに基づいて、アンテナ素子によって送信された基準信号を受信して区別することができるので、屋内測位を実施することができる。
【００１０】
第2の態様によれば、測位情報送信装置が提供され、装置は、
ネットワーク装置によって構成された補助データに基づいて、少なくとも2つのアンテナ素子の識別子と、少なくとも2つのアンテナ素子のそれぞれに対応する基準信号の属性情報とを取得するように構成された取得モジュールと、属性情報に基づいて少なくとも2つの基準信号を受信するように構成された受信モジュールであって、少なくとも2つの基準信号は、少なくとも2つのアンテナ素子の対応するアンテナ素子によってそれぞれ送信される、受信モジュールと、少なくとも2つの基準信号を測定することによって測位情報を取得するように構成された測定モジュールと、測位情報と、測位情報に対応するアンテナ素子の識別情報とをネットワーク装置に送信するように構成された送信モジュールと
を備える。端末装置は、受信した基準信号がどのアンテナ素子から来るかを識別することができる。したがって、改良された分散アンテナシステムは、端末装置の測位を実現し、屋内の測位精度を改善することができる。
【００１１】
第2の態様に関して、第2の態様の第1の可能な実装形態では、測位情報は到着時間差を含み、測定モジュールは、少なくとも2つの基準信号の、2つのアンテナ素子それぞれによって送信される基準信号間の到着時間差を取得するように構成される。端末装置は、各基準信号を送信するアンテナ素子を識別することができるので、観測到着時間差による測位方法を分散測位システムに適用して屋内測位を実施することができる。
【００１２】
第2の態様に関して、第2の態様の第2の可能な実装形態では、受信モジュールは、ネットワーク装置によって送信された補助データを受信するようにさらに構成される。補助データに基づいて、アンテナ素子によって送信された基準信号を受信して区別することができるので、屋内測位を実施することができる。
【００１３】
第3の態様によれば、ネットワーク装置が提供され、ネットワーク装置は、受信機と、送信機と、プロセッサと、メモリとを含み、受信機、送信機、およびメモリはプロセッサに別々に接続され、プロセッサは所定数の基準信号を生成するように構成され、各基準信号は、異なる属性情報を有し、ネットワーク装置は、周波数変換モジュールおよび局部発振器モジュールをさらに備え、局部発振器モジュールは周波数変換モジュールに接続され、周波数変換モジュールは送信機に接続され、周波数変換モジュールは、局部発振器モジュールによって生成された異なる局部周波数に基づいて、生成された所定数の基準信号のキャリア周波数を異なるキャリア周波数にそれぞれ変換するように構成され、所定数の基準信号は送信機を介して所定数のアンテナ素子に送信される。ネットワーク装置は、異なる属性情報を有する基準信号を異なるアンテナ素子に割り当てるために、周波数ドメイン分離手法を使用し、このため、端末装置は、受信した基準信号がどのアンテナ素子から来るかを識別することができる。したがって、改良された分散アンテナシステムは、端末装置の測位を実現し、屋内の測位精度を改善することができる。
【００１４】
第4の態様によれば、ネットワーク装置が提供され、ネットワーク装置は、受信機と、送信機と、プロセッサと、メモリとを含み、受信機、送信機、およびメモリはプロセッサに別々に接続され、プロセッサは所定数のスクランブリングコードを取得し、所定数の基準信号を生成するように構成され、各基準信号は異なるスクランブリングコードによってスクランブルされ、各基準信号は異なる属性情報を有し、ネットワーク装置は、スクランブリングモジュールと、スクランブリングコード生成モジュールとをさらに備え、スクランブリングモジュールは、スクランブリングコード生成モジュールに接続され、スクランブリングモジュールは、送信機に接続され、スクランブリングコード生成モジュールは、所定数のスクランブリングコードを生成するように構成され、スクランブリングモジュールは、所定数の基準信号を生成するように構成され、各基準信号は、異なるスクランブリングコードによってスクランブルされ、所定数の基準信号は、送信機を介して所定数のアンテナ素子に送信される。ネットワーク装置は、異なる基準信号を異なるアンテナ素子に割り当てるためにコードドメイン分離手法を使用し、このため、端末装置は、受信した基準信号がどのアンテナ素子から来るかを識別することができる。したがって、改良された分散アンテナシステムは、端末装置の測位を実現し、屋内の測位精度を改善することができる。
【００１５】
第5の態様によれば、ネットワーク装置と複数のアンテナ素子とを備えた測位システムが提供され、ネットワーク装置は、複数の基準信号を生成し、複数の基準信号のキャリア周波数を異なるキャリア周波数にそれぞれ変換し、複数の基準信号を複数のアンテナ素子に送信するように構成され、各基準信号は異なる属性情報を有し、複数のアンテナ素子の各々は、ネットワーク装置によって送信された複数の基準信号を受信した後、アンテナ素子に対応するキャリア周波数で搬送される基準信号に対して周波数混合処理を実行し、特定の基準信号を取得し、特定の基準信号を端末装置に送信するように構成される。異なるアンテナ素子によって得られる基準信号は異なるので、端末装置は、受信した基準信号がどのアンテナ素子から来るかを識別することができる。したがって、改良された分散アンテナシステムは、端末装置の測位を実現し、屋内の測位精度を改善することができる。
【００１６】
第5の態様に関して、第5の態様の第1の可能な実装形態では、各アンテナ素子は、特定の基準信号を取得した後、特定の基準信号に対して特定の偏波タイプを用いて偏波処理を実行し、偏波された特定の基準信号を端末装置に送信するようにさらに構成される。異なるアンテナ素子は、異なる偏波タイプを使用することによって基準信号を偏波することができる。したがって、端末装置は、基準信号の偏波タイプに基づいて基準信号を送信するアンテナ素子を認識することができる。このようにして、測位精度が改善される。
【００１７】
第6の態様によれば、ネットワーク装置と複数のアンテナ素子とを備えた測位システムが提供され、ネットワーク装置は、所定数のスクランブリングコードを取得し、各基準信号が異なるスクランブリングコードによってスクランブルされ、各基準信号が異なる属性情報を有する複数の基準信号を生成し、複数のアンテナ素子に複数の基準信号を送信するように構成され、複数のアンテナ素子の各々は、複数の基準信号を受信した後、アンテナ素子のスクランブリングコードに対応する基準信号に対してデスクランブル処理を実行して、特定の基準信号を取得し、特定の基準信号を端末装置に送信するように構成される。異なるアンテナ素子によって得られる基準信号は異なるので、端末装置は、受信した測位信号がどのアンテナ素子から来るのかを識別することができる。したがって、改良された分散アンテナシステムは、端末装置の測位を実現し、屋内の測位精度を改善することができる。
【００１８】
第6の態様に関して、第6の態様の第1の可能な実装形態では、各アンテナ素子は、特定の基準信号を取得した後、特定の基準信号に対して特定の偏波タイプを用いて偏波処理を実行し、偏波された特定の基準信号を端末装置に送信するようにさらに構成される。異なるアンテナ素子は、異なる偏波タイプを使用することによって基準信号を偏波することができる。したがって、端末装置は、基準信号の偏波タイプに基づいて基準信号を送信するアンテナ素子を認識することができる。このようにして、測位精度が改善される。
【００１９】
第7の態様によれば、ネットワーク装置と複数のアンテナ素子とを備えた測位システムが提供され、ネットワーク装置は、基準信号を生成し、基準信号を複数のアンテナ素子に送信するように構成され、複数のアンテナ素子の各々は、基準信号を受信した後、基準信号に対して特定の偏波タイプを用いて偏波処理を実行し、異なる偏波タイプの複数の基準信号を取得し、複数の基準信号を端末装置に送信するように構成される。異なるアンテナ素子は、基準信号を偏波するために異なる偏波タイプを使用することができるので、端末装置は、偏波タイプに基づいて、受信した基準信号がどのアンテナ素子から来るかを知ることができる。したがって、改良された分散アンテナシステムは、端末装置の測位を実現し、屋内の測位精度を改善することができる。
【００２０】
第8の態様によれば、測位情報送信方法が提供され、方法は、
ネットワーク装置によって構成された補助データに基づいて、少なくとも2つのアンテナ素子の識別子と、少なくとも2つのアンテナ素子のそれぞれに対応する基準信号の属性情報とを取得するステップと、属性情報に基づいて少なくとも2つの基準信号を受信するステップであって、少なくとも2つの基準信号は、少なくとも2つのアンテナ素子の対応するアンテナ素子によってそれぞれ送信される、ステップと、少なくとも2つの基準信号を測定することによって測位情報を取得するステップと、測位情報と、測位情報に対応するアンテナ素子の識別情報とをネットワーク装置に送信するステップと
を含む。端末装置は、受信した基準信号がどのアンテナ素子から来るかを識別することができる。したがって、改良された分散アンテナシステムは、端末装置の測位を実現し、屋内の測位精度を改善することができる。
【００２１】
第8の態様に関して、第8の態様の第1の可能な実装形態では、測位情報は到着時間差を含み、方法は、
少なくとも2つの基準信号の、2つのアンテナ素子それぞれによって送信された基準信号間の到着時間差を取得するステップ
をさらに含む。端末装置は、各基準信号を送信するアンテナ素子を識別することができるので、観測到着時間差による測位方法を分散測位システムに適用して屋内測位を実施することができる。
【００２２】
第8の態様に関して、第8の態様の第2の可能な実装形態では、方法は、ネットワーク装置によって送信された補助データを受信するステップをさらに含む。補助データに基づいて、アンテナ素子によって送信された基準信号を受信して区別することができるので、屋内測位を実施することができる。
【００２３】
第9の態様によれば、基準信号送信方法が提供され、方法は、
各基準信号が異なる属性情報を有する所定数の基準信号を生成するステップと、生成された所定数の基準信号のキャリア周波数を異なる局部周波数に基づいて異なるキャリア周波数に変換し、所定数の基準信号を所定数のアンテナ素子に送信するステップと
を含む。ネットワーク装置は、異なる属性情報を有する基準信号を異なるアンテナ素子に割り当てるために、周波数ドメイン分離手法を使用し、このため、端末装置は、受信した基準信号がどのアンテナ素子から来るかを識別することができる。したがって、改良された分散アンテナシステムは、端末装置の測位を実現し、屋内の測位精度を改善することができる。
【００２４】
第9の態様に関して、第9の態様の第1の可能な実装形態では、異なるキャリア周波数の周波数スペクトルは互いに干渉しないので、異なるキャリア周波数で搬送される基準信号は分離され、互いに干渉しない。
【００２５】
第10の態様によれば、基準信号送信方法が提供され、方法は、
ネットワーク装置によって送信された複数の基準信号を受信した後、対応するキャリア周波数で搬送される基準信号に対して周波数混合処理を実行し、特定の基準信号を取得するステップと、特定の基準信号を端末装置に送信するステップと
を含む。アンテナ素子は、アンテナ素子に対応するキャリア周波数上の基準信号を取得することができるので、端末装置は、受信した基準信号がどのアンテナ素子から来るかを識別することができる。したがって、改良された分散アンテナシステムは、端末装置の測位を実現し、屋内の測位精度を改善することができる。
【００２６】
第10の態様に関して、第10の態様の第1の可能な実装形態では、特定の基準信号を取得した後、方法は、
特定の偏波タイプを用いて特定の基準信号に対して偏波処理を実行するステップと、偏波された特定の基準信号を端末装置に送信するステップと
をさらに含む。異なるアンテナ素子は、異なる偏波タイプを使用することによって基準信号を偏波することができる。したがって、端末装置は、基準信号の偏波タイプに基づいて基準信号を送信するアンテナ素子を認識することができる。このようにして、測位精度が改善される。
【００２７】
第11の態様によれば、基準信号送信方法が提供され、方法は、
所定数のスクランブリングコードを取得し、複数の基準信号を生成するステップであって、各基準信号は異なるスクランブリングコードによってスクランブルされ、各基準信号は異なる属性情報を有する、ステップと、複数の基準信号を複数のアンテナ素子に送信するステップであって、所定数のアンテナ素子の各々は、アンテナ素子に対応するキャリア周波数で搬送される基準信号を取得する、ステップと
を含む。ネットワーク装置は、異なる属性情報を有する基準信号を異なるアンテナ素子に割り当てるために、コードドメイン分離手法を使用し、このため、端末装置は、受信した基準信号がどのアンテナ素子から来るかを識別することができる。したがって、改良された分散アンテナシステムは、端末装置の測位を実現し、屋内の測位精度を改善することができる。
【００２８】
第11の態様に関して、第11の態様の第1の可能な実装形態では、異なるスクランブリングコードが互いに直交しているので、異なるスクランブリングコードによってスクランブルされた基準信号が互いに干渉しない。
【００２９】
第12の態様によれば、基準信号送信方法が提供され、方法は、
複数の基準信号を受信した後、スクランブリングコードに対応する基準信号に対してデスクランブル処理を実行し、特定の基準信号を取得するステップと、特定の基準信号を端末装置に送信するステップと
を含む。異なるアンテナ素子によって得られる基準信号は異なるので、端末装置は、受信した測位信号がどのアンテナ素子から来るのかを識別することができる。したがって、改良された分散アンテナシステムは、端末装置の測位を実現し、屋内の測位精度を改善することができる。
【００３０】
第12の態様に関して、第12の態様の第1の可能な実装形態では、特定の基準信号を取得した後、方法は、
特定の偏波タイプを用いて特定の基準信号に対して偏波処理を実行するステップと、偏波された特定の基準信号を端末装置に送信するステップと
をさらに含む。異なるアンテナ素子は、異なる偏波タイプを使用することによって基準信号を偏波することができる。したがって、端末装置は、基準信号の偏波タイプに基づいて基準信号を送信するアンテナ素子を認識することができる。このようにして、測位精度が改善される。
【００３１】
第13の態様によれば、測位情報送信装置が提供され、方法は、
ネットワーク装置によって構成された補助データに基づいて、少なくとも2つのアンテナ素子の識別子と、少なくとも2つのアンテナ素子のそれぞれに対応する基準信号の偏波タイプとを取得するステップと、偏波タイプに基づいて少なくとも2つの基準信号を受信するステップであって、少なくとも2つの基準信号は、少なくとも2つのアンテナ素子の対応するアンテナ素子によってそれぞれ送信される、ステップと、少なくとも2つの基準信号を測定することによって測位情報を取得するステップと、測位情報と、測位情報に対応するアンテナ素子の識別情報とをネットワーク装置に送信するステップと
を含む。端末装置は、受信した基準信号がどのアンテナ素子から来るかを識別することができる。したがって、改良された分散アンテナシステムは、端末装置の測位を実現し、屋内の測位精度を改善することができる。
【００３２】
第14の態様によれば、基準信号送信方法が提供され、方法は、
基準信号を受信した後、特定の偏波タイプを用いて基準信号に対して偏波処理を実行するステップと、偏波された基準信号を端末装置に送信するステップと
を含む。異なるアンテナ素子は、異なる偏波タイプを使用することによって基準信号を偏波することができる。したがって、端末装置は、基準信号の偏波タイプに基づいて基準信号を送信するアンテナ素子を認識することができる。このようにして、測位精度が改善される。
【００３３】
第15の態様によれば、アンテナ素子が提供され、アンテナ素子は、デバイダと、周波数混合モジュールと、アンテナとを含み、周波数混合モジュールは、特定の局部周波数を生成し、デバイダを用いて所定数の基準信号を受信した後、特定の局部周波数に基づいて、アンテナ素子に対応するキャリア周波数で搬送される基準信号に対して周波数混合処理を実行して特定の基準信号を取得するように構成され、特定の基準信号は、アンテナによって端末装置に送信される。アンテナ素子は、アンテナ素子に対応するキャリア周波数上の基準信号を取得することができるので、端末装置は、受信した基準信号がどのアンテナ素子から来るかを識別することができる。したがって、改良された分散アンテナシステムは、端末装置の測位を実現し、屋内の測位精度を改善することができる。
【００３４】
第16の態様によれば、アンテナ素子が提供され、アンテナ素子は、デバイダと、デスクランブリングモジュールと、アンテナとを含み、デスクランブリングモジュールは、特定のスクランブリングコードを生成し、デバイダを用いて所定数の基準信号を受信した後、特定のスクランブリングコードに基づいて、アンテナ素子のスクランブリングコード対応する基準信号に対してデスクランブル処理を実行して特定の基準信号を取得するように構成され、特定の基準信号は、アンテナによって端末装置に送信される。異なるアンテナ素子によって得られる基準信号は異なるので、端末装置は、受信した基準信号がどのアンテナ素子から来るかを識別することができる。したがって、改良された分散アンテナシステムは、端末装置の測位を実現し、屋内の測位精度を改善することができる。
【００３５】
第17の態様によれば、偏波モジュールとアンテナとを備えたアンテナ素子が提供され、偏波モジュールは、基準信号を受信した後、特定の偏波タイプを使用して基準信号に対して偏波処理を実行して特定の基準信号を取得するように構成され、特定の基準信号は、アンテナによって端末装置に送信される。異なるアンテナ素子は、基準信号を偏波するために異なる偏波タイプを使用することができるので、端末装置は、偏波タイプに基づいて、受信した基準信号がどのアンテナ素子から来るかを知ることができる。したがって、改良された分散アンテナシステムは、端末装置の測位を実現し、屋内の測位精度を改善することができる。
【００３６】
より明確に本発明の実施形態における技術的解決策を説明するために、本実施形態を説明するために必要な添付の図面を以下に簡単に説明する。明らかに、以下の説明において添付図面は、本発明のいくつかの実施形態を単に示し、当業者は、創造的な取り組みをすることなく、これらの添付図面から他の図面をさらに導き出すことが可能である。
【図面の簡単な説明】
【００３７】
【図１】分散アンテナシステムの構成図である。
【図２】本発明の一実施形態に係る測位システムの構成図である。
【図３】本発明の一実施形態に係る測位方法のフローチャートである。
【図４】本発明の一実施形態に係る測位システムの構成図である。
【図５】本発明の一実施形態に係る測位方法のフローチャートである。
【図６】本発明の一実施形態に係る測位システムの構成図である。
【図７】本発明の一実施形態に係る測位方法のフローチャートである。
【図８】本発明の一実施形態に係る端末装置の概略構成図である。
【図９】本発明の一実施形態に係る測位情報送信装置のブロック図である。
【図１０】本発明の一実施形態に係るネットワーク装置の概略構成図である。
【図１１】本発明の一実施形態に係るネットワーク装置の概略構成図である。
【発明を実施するための形態】
【００３８】
本発明の目的、技術的解決方法、および利点をより明確にするために、以下に、添付の図面を参照して本発明の実施形態をさらに詳しく説明する。
【００３９】
本発明に提供される実施形態をより良く説明するために、本発明の実施形態のアプリケーションシナリオをまず説明する。既存の分散アンテナシステムは、屋内通信品質を改善することができる。図1を参照すると、図1は、ネットワーク装置と複数のアンテナ素子とを含む分散アンテナシステムの構成図である。複数のアンテナ素子は、屋内に位置し、ネットワーク装置に接続されている。既存の分散アンテナシステムにおけるネットワーク装置（例えば、図1の基地局）は、ネットワーク装置に接続されたすべてのアンテナ素子に同じ基準信号のみを送信することができる。各アンテナ素子は、受信した基準信号を端末装置に送信する。すべての基準信号が同じであるので、屋内で基準信号を受信した後、端末装置は、基準信号を送信するアンテナ素子を区別することができない。したがって、既存の分散アンテナシステムを、屋内測位を実施するために使用することができない。本発明の実施形態によれば、既存の分散アンテナシステムが改善されるため、改善された分散アンテナシステムが屋内測位を実現し、モバイルネットワークの屋内測位精度を改善することができる。特定の改善方法および特定の測位プロセスの詳細については、以下の実施形態を参照されたい。
【００４０】
図2は、本発明の一実施形態に係る測位システムの構成図である。測位システムは、分散アンテナシステムである。端末装置が分散アンテナシステム内の異なるアンテナ素子によって送信された基準信号を確実に認識し、移動通信システムにおいて異なる信号が異なる周波数ドメインで分離されて伝送され得ることを考慮すると、受信側は、異なる周波数ドメインに基づいて受信信号を区別することができ、本発明のこの実施形態では、既存の分散アンテナシステムを改善するために、周波数ドメイン分離法が使用される。図2を参照すると、分散アンテナシステムは、ネットワーク装置と、所定数のアンテナ素子とを含む。周波数変換モジュールおよび局部発振器モジュールは、ネットワーク装置がアンテナ素子に信号を送信するポートに追加される。局部発振器モジュールは、異なる局部周波数を生成するように構成される。ネットワーク装置は、異なる属性情報を有する所定数の基準信号を生成し、周波数ドメインにおいて異なる基準信号を分離するように所定数の基準信号のキャリア周波数を異なる局部周波数に基づいて異なるキャリア周波数にそれぞれ変換し、異なる周波数ドメインの所定数の基準信号を所定数のアンテナ素子に送信するように構成される。各アンテナ素子は、デバイダ、周波数混合モジュール、アンテナなどを含むか、または同じ機能を有する部分を含む。周波数混合モジュールは、特定の局部周波数を生成してもよく、アンテナ素子に対応するキャリア周波数の基準信号に対して周波数混合処理を実行し、得られた特定の基準信号を端末装置に送信するように構成される。最後に、異なるアンテナ素子は、異なる基準信号を端末装置に送信する。また、各アンテナ素子の識別子と各基準信号の属性情報との対応関係がネットワーク装置に記憶されている。
【００４１】
ネットワーク装置と所定数のアンテナ素子との間の接続は、物理接続、例えば、同軸ケーブルもしくは光ケーブル接続、または無線接続であってもよいことに留意されたい。これは、本発明のこの実施形態において特に限定されない。図2に示す分散アンテナシステムは、カプラをさらに含む。アンテナ素子のカプラおよびデバイダは、すべてのアンテナ素子に割り当てられた信号送信電力をできるだけ均一にするように構成されているので、すべてのアンテナ素子の送信電力は本質的に同じである。
【００４２】
図3は、本発明の一実施形態に係る図2の測位システムに関して提供される測位方法のフローチャートである。相互作用するエンティティには、ネットワーク装置、所定数のアンテナ素子、および端末装置が含まれる。図3を参照すると、本発明のこの実施形態に係る方法のプロセスは、以下のステップを含む。
【００４３】
301．ネットワーク装置は、所定数の基準信号を生成した後、所定数の基準信号のキャリア周波数を異なるキャリア周波数にそれぞれ変換し、所定数の基準信号を所定数のアンテナ素子に送信する。
【００４４】
本発明のこの実施形態では、ネットワーク装置は、分散アンテナシステムを形成するために所定数のアンテナ素子に接続される。ネットワーク装置は、基準信号を生成し、基準信号を処理し、端末装置を測位する機能を有するように構成された、分散アンテナシステム内の物理的または論理的エンティティである。本発明のこの実施形態では、ネットワーク装置の特定の形態は限定されない。ネットワーク装置は、所定数の基準信号を生成する。各基準信号は、異なる属性情報を有する。属性情報は、基準信号を生成するための擬似ランダム系列やリソースマッピング方式等を含み、このため、端末装置は、属性情報に基づいて対応する基準信号を復元することができる。次いで、所定数の基準信号の周波数が異なるキャリア周波数に変換され、所定数の基準信号は、所定数のアンテナ素子に送信される。特定の実装プロセスは次のとおりである。
【００４５】
ネットワーク装置は、最初に所定数の基準信号を生成する。すべての基準信号は、同じ固定初期キャリア周波数を有する。同じ固定キャリア周波数を有する所定数の基準信号が周波数変換モジュールに転送された後、周波数変換モジュールは、局部発振器モジュールによって生成された異なる局部周波数に基づいて、生成された所定数の基準信号の周波数を異なるキャリア周波数に変換して、異なるキャリア周波数で搬送される所定数の基準信号を取得し、異なるキャリア周波数で搬送される所定数の基準信号は、所定数のアンテナ素子に送信される。
【００４６】
例えば、ネットワーク装置は、まず3つの基準信号S1、S2、およびS3を生成する。S1、S2、およびS3は、異なる識別情報および同じ固定初期キャリア周波数F1を有する。局部発振器モジュールは、2つの局部周波数F4およびF5を生成する。周波数変換モジュールを使用して、異なる基準信号のキャリア周波数をそれぞれ異なるキャリア周波数にそれぞれ変換することができる。例えば、周波数変換モジュールは、S2の初期キャリア周波数F1と局部周波数F4とを混合して、基準信号S2の周波数をキャリア周波数F2に変換する。周波数変換モジュールは、S3の初期キャリア周波数F1と局部周波数F5とを混合して、基準信号S3の周波数をキャリア周波数F3に変換する。ここで、基準信号S1のキャリア周波数をF1、基準信号S2のキャリア周波数をF2、基準信号S3のキャリア周波数をF3とする。このようにして、異なる基準信号の周波数が異なるキャリア周波数に変換される。
【００４７】
異なるキャリア周波数の周波数スペクトルは互いに干渉しない。
【００４８】
前述の説明では、説明のための例としてネットワーク装置が3つの基準信号を生成するだけであることに留意されたい。ネットワーク装置によって生成される基準信号の数は、本発明のこの実施形態では特に限定されない。局部発振器モジュールによって生成された局部周波数の数は、ネットワーク装置によって生成された基準信号の所定数と同じであってもよく、または所定数から1を引いた数であってもよい。これは、本発明のこの実施形態において特に限定されない。局部周波数の数が所定数から1を引いた数である場合、所定数の基準信号の1つのキャリア周波数に対して周波数変換処理は行われない。キャリア周波数は常に固定キャリア周波数である。局部周波数の数が所定数である場合には、所定数の基準信号のそれぞれのキャリア周波数に対して周波数変換処理が行われる。
【００４９】
302．所定数のアンテナ素子の各々は、所定数の基準信号を受信した後、アンテナ素子に対応するキャリア周波数で搬送される基準信号に対して周波数混合処理を実行して、特定の基準信号を取得し、特定の基準信号を端末装置に送信する。
【００５０】
LTE（Long Term Evolution、ロングタームエボリューション）システムでは、ネットワーク装置によって送信されるすべての信号は同じ周波数にある。したがって、本発明のこの実施形態では、周波数混合モジュールは、基準信号のキャリア周波数を固定キャリア周波数に復元するようにさらに構成される。所定数のアンテナ素子の各々は、所定数の基準信号を受信した後、アンテナ素子に対応するキャリア周波数で搬送される基準信号に対して周波数混合処理を実行して、特定の基準信号を取得する。詳細なプロセスは次のとおりである。
【００５１】
デバイダを用いて所定数の基準信号を受信した後、各アンテナ素子の周波数混合モジュールは、特定の局部周波数に基づいて、アンテナ素子に対応するキャリア周波数で搬送される基準信号に対して周波数混合処理を実行して、特定の基準信号を取得する。アンテナ素子に対応するキャリア周波数は、固定キャリア周波数を得るために局部周波数と混合され得るキャリア周波数である。
【００５２】
例えば、システムは、3つのアンテナ素子A1、A2、およびA3を含む。アンテナ素子A2の周波数混合モジュールは局部周波数F4を生成し、アンテナ素子A3の周波数混合モジュールは局部周波数F5を生成する。ステップ301の例を参照すると、キャリア周波数F2の基準信号S2を受信した後、アンテナ素子A2はキャリア周波数F2と局部周波数F4とを混合してキャリア周波数が固定キャリア周波数F1である基準信号S2を取得し、キャリア周波数F3の基準信号S3を受信した後、アンテナ素子A3はキャリア周波数F3と局部周波数F5とを混合してキャリア周波数が固定キャリア周波数F1である基準信号S3を取得し、アンテナ素子A1が所定数の基準信号を受信した後、アンテナ素子A1の周波数混合モジュールは、キャリア周波数がフィルタリングを介して固定キャリア周波数F1である基準信号S1を直接取得する。最後に、各アンテナ素子は、異なる識別情報を有する特定の基準信号を取得し、特定の基準信号を端末装置に送信する。具体的には、アンテナ素子A1は基準信号S1を端末装置に送信し、アンテナ素子A2は基準信号S2を端末装置に送信し、アンテナ素子A3は基準信号S3を端末装置に送信する。
【００５３】
なお、すべてのアンテナ素子において周波数混合モジュールによって生成された局部周波数は、ネットワーク装置によってすべての基準信号に対して1対1の対応で周波数変換処理を実行するための局部周波数に等しくなければならない。各アンテナ素子は、このようにして異なる特定の基準信号を得ることができる。
【００５４】
別の実施形態では、各アンテナ素子は、偏波モジュールをさらに含むことができる。偏波モジュールは、特定の基準信号に対して偏波処理を行い、偏波された特定の基準信号を端末装置に送信するように構成される。異なるアンテナ素子の偏波モジュールによって示される偏波タイプは異なる。偏波タイプは、水平偏波、垂直偏波、円偏波、楕円偏波、特定の角度を有する偏波などであってもよい。これは、本発明のこの実施形態において限定されない。
【００５５】
303．端末装置は、ネットワーク装置によって構成された補助データに基づいて、少なくとも2つのアンテナ素子の識別子と、少なくとも2つのアンテナ素子のそれぞれに対応する基準信号の属性情報とを取得し、属性情報に基づいて少なくとも2つの基準信号を受信する。
【００５６】
本発明のこの実施形態では、端末装置測位プロセスは、端末装置側によって開始されてもよいし、ネットワーク装置側によって開始されてもよい。これは、本発明のこの実施形態において限定されない。以下では、端末装置側で測位を開始する例を用いて説明する。端末装置によって送信された測位要求を受信した後、ネットワーク装置は測位能力要求シグナリングを端末装置に送信する。シグナリングを受信した後、端末装置は、利用可能なハードウェアリソース、測位計算能力、信号品質などを含む対応する測位能力情報を応答する。次に、端末装置は、補助データ要求をネットワーク装置に送信する。ネットワーク装置は、補助データ要求を受信した後、構成された補助データを返す。補助データは、少なくとも2つのアンテナ素子の識別子と、少なくとも2つのアンテナ素子のそれぞれに対応する基準信号の属性情報とを含む。さらに、アンテナ素子が偏波モジュールの偏波タイプを使用して区別される実施形態では、補助データは、少なくとも2つのアンテナ素子のそれぞれに対応する基準信号の偏波タイプをさらに含むことができる。補助データを受信した後、端末装置は、ネットワーク装置によって構成された補助データに基づいて、少なくとも2つのアンテナ素子の識別子と、少なくとも2つのアンテナ素子のそれぞれに対応する基準信号の属性情報とを取得し、属性情報に基づいて少なくとも2つの基準信号を受信する。少なくとも2つの基準信号は、少なくとも2つのアンテナ素子の対応するアンテナ素子によってそれぞれ送信される。端末装置が属性情報に基づいて少なくとも2つの基準信号を受信するプロセスは、以下のとおりである。
【００５７】
端末装置は、各基準信号の属性情報に基づいて少なくとも2つの基準信号を復元する。次いで、端末装置は、複数のアンテナ素子によって送信された複数の基準信号から、復元された各基準信号と同じ基準信号を受信し、対応するアンテナ素子の識別情報を取得する。アンテナ素子の識別情報は、アンテナ素子の名前、デバイス番号、ID（Identifier、識別子）番号、物理アドレス、IP（Internet Protocol、インターネットプロトコル）アドレス等であってもよい。これは、本発明のこの実施形態において限定されない。
【００５８】
なお、アンテナ素子識別子は、ネットワーク装置によって構成された補助データに基づいて端末装置が取得した少なくとも2つのアンテナ素子の識別子のうち、上記アンテナ素子識別情報のいずれかである。アンテナ素子識別子とアンテナ素子識別情報とを区別することは、1つのアンテナ素子が異なる固有の識別子を有し得ることを説明することを意図している。端末装置がネットワーク装置と通信するプロセスでは、1つのアンテナ素子の異なる識別子を通信に使用することができる。
【００５９】
なお、ネットワーク装置によって端末装置に送信される補助データは、基準信号受信時間ウィンドウをさらに含むことができるので、基準信号受信時間ウィンドウを受信した後、端末装置は、属性情報に基づいて、基準信号受信時間ウィンドウ内の基準信号のみを受信する。これにより、端末装置の消費電力を低減することができる。
【００６０】
別の実施形態では、補助データは、少なくとも2つのアンテナ素子の識別子と、少なくとも2つのアンテナ素子のそれぞれに対応する基準信号の偏波タイプとをさらに含むことができる。端末装置は、偏波タイプに基づいて少なくとも2つの基準信号を受信する。
【００６１】
304．端末装置は、少なくとも2つの基準信号を測定して測位情報を取得し、測位情報と、測位情報に対応するアンテナ素子の識別情報とをネットワーク装置に送信する。
【００６２】
本発明のこの実施形態では、ネットワーク装置によって送信された補助データは、使用される必要がある測位方法をさらに含むことができる。測位方法は、到着時間差測定の測位方法、角度検出の測位方法、または電界強度検出の測位方法であってもよい。これは、本発明のこの実施形態において限定されない。
【００６３】
以下では、端末装置が少なくとも2つの基準信号を測定することにより測位情報を取得するプロセスを説明するための一例として、到着時間差測定の測位方法を用いる。端末装置は、少なくとも2つの基準信号と、基準信号のそれぞれに対応するアンテナ素子の識別情報とを取得した後、少なくとも2つの基準信号のうちの2つのアンテナ素子それぞれによって送信された基準信号間の到着時間差を取得し、到着時間差に対応する2つのアンテナ素子の識別情報を記録し、測位情報を生成する。測位情報には到着時間差が含まれる。次いで、測位情報と、測位情報に対応するアンテナ素子の識別情報とをネットワーク装置に送信する。測位情報に対応するアンテナ素子の識別情報は、各到着時間差に対応する2つのアンテナ素子の識別情報である。
【００６４】
なお、ネットワーク装置によって端末装置に送信される補助データは、比較基準信号をさらに含むことができる。端末装置は、比較基準信号と同一の識別情報を有する基準信号が受信された第1の到着時刻を記録し、属性情報に基づいて任意の基準信号を受信した後、任意の基準信号の第2の到着時刻を算出し、第1の到着時刻と第2の到着時刻との時間差を、任意の基準信号の到着時間差として決定する。
【００６５】
305．ネットワーク装置は、受信した測位情報と、測位情報に対応するアンテナ素子の識別情報とに基づいて、端末装置の測位を行う。
【００６６】
本発明のこの実施形態では、ネットワーク装置は、受信した測位情報と、測位情報に対応するアンテナ素子の識別情報とに基づいて、端末装置の測位を行うことができる。到着時間差測定の測位方法を例として使用している。ネットワーク装置は、ネットワーク装置に接続された各アンテナ素子の識別情報とアンテナ素子の物理的位置との間の対応関係を記憶する。測位情報と、端末装置が送信した測位情報に対応するアンテナ素子の識別情報とを受信した後、ネットワーク装置は、アンテナ素子の識別情報に基づいて、アンテナ素子の識別情報に対応するアンテナ素子の物理的位置を取得する。次いで、端末装置の位置は、各到着時間差および対応するアンテナ素子の物理的位置に基づいて取得される。
【００６７】
なお、端末装置は、到着時間差測定の測位方法を用いて端末装置を測位する場合、端末装置は、少なくとも2つの到着時間差と、各到着時間差に対応するアンテナ素子の識別情報とをネットワーク装置に送信し、このため、ネットワーク装置は、各到着時刻および到着時刻に対応するアンテナ素子の物理的位置に基づいて、少なくとも2つの双曲測位領域を取得し、端末装置の位置を決定するために少なくとも2つの双曲線測位領域の交差位置を算出することができる。次いで、端末装置の測位が完了する。
【００６８】
本発明のこの実施形態に係る方法によれば、ネットワーク装置は、所定数の基準信号を生成した後に、所定数の基準信号の周波数を異なるキャリア周波数に変換し、所定数の基準信号を所定数のアンテナ素子に送信し、所定数のアンテナ素子の各々は、所定数の基準信号を受信した後、アンテナ素子に対応するキャリア周波数で搬送される基準信号に対して周波数混合処理を実行して、特定の基準信号を取得し、特定の基準信号を端末装置に送信し、端末装置は、ネットワーク装置によって構成された補助データに基づいて、少なくとも2つのアンテナ素子の識別子と、少なくとも2つのアンテナ素子のそれぞれに対応する基準信号の属性情報とを取得し、属性情報に基づいて少なくとも2つの基準信号を受信し、少なくとも2つの基準信号を測定して測位情報を取得し、測位情報と、測位情報に対応するアンテナ素子の識別情報とをネットワーク装置に送信する。異なるアンテナ素子によって得られる基準信号は異なるので、端末装置は、受信した基準信号がどのアンテナ素子から来るかを識別することができる。したがって、改良された分散アンテナシステムは、端末装置の測位を実現し、屋内の測位精度を改善することができる。
【００６９】
図4は、本発明の一実施形態に係る測位システムの構成図である。測位システムは、分散アンテナシステムである。端末装置が分散アンテナシステム内の異なるアンテナ素子によって送信された基準信号を確実に認識し、移動通信システムにおいて異なる信号が異なるコードドメインで分離されて伝送され得ることを考慮すると、受信側は、異なるコードワードに基づいて受信信号を区別することができ、本発明のこの実施形態では、既存の分散アンテナシステムを改善するために、コードドメイン分離法が使用される。図4を参照すると、分散アンテナシステムは、ネットワーク装置と、ネットワーク装置に接続された所定数のアンテナ素子とを含む。スクランブリングモジュールおよびスクランブリングコード生成モジュールは、ネットワーク装置がアンテナ素子に信号を送信するポートに追加される。スクランブリングコード生成モジュールは、異なるスクランブリングコードを生成するように構成される。ネットワーク装置は、異なるスクランブリングコードに基づいて、所定数の基準信号を生成するように構成される。各基準信号は、異なるスクランブリングコードによってスクランブルされる。具体的には、異なる基準信号が異なるコードドメインに分離される。次いで、異なるコードドメイン内の所定数の基準信号が、所定数のアンテナ素子に送られる。各アンテナ素子は、デバイダ、デスクランブリングモジュール、アンテナなどを含むか、または同じ機能を有する部分を含む。デスクランブリングモジュールは、特定のスクランブリングコードを生成することができ、アンテナ素子に対応する基準信号のスクランブリングコードをデスクランブルして、アンテナを用いて取得した特定の基準信号を端末装置に送信するように構成される。最後に、異なるアンテナ素子は、異なる基準信号を端末装置に送信する。また、各アンテナ素子の識別子と各基準信号の属性情報との対応関係がネットワーク装置に記憶されている。
【００７０】
ネットワーク装置と所定数のアンテナ素子との間の接続は、物理接続、例えば、同軸ケーブルもしくは光ケーブル接続、または無線接続であってもよいことに留意されたい。これは、本発明のこの実施形態において限定されない。図4に示す分散アンテナシステムは、カプラをさらに含む。カプラおよびデバイダは、すべてのアンテナ素子に割り当てられた信号送信電力をできるだけ均一にするように構成されているので、すべてのアンテナ素子の送信電力は本質的に同じである。
【００７１】
図5は、本発明の一実施形態に係る図4の測位システムを参照して提供される測位方法のフローチャートである。相互作用するエンティティには、ネットワーク装置、所定数のアンテナ素子、および端末装置が含まれる。図5を参照すると、本発明のこの実施形態に係る方法のプロセスは、以下のステップを含む。
【００７２】
501．ネットワーク装置は、所定数のスクランブリングコードを取得した後、所定数の基準信号を生成し、所定数の基準信号を所定数のアンテナ素子に送信する。
【００７３】
本発明のこの実施形態では、ネットワーク装置は、分散アンテナシステムを形成するために所定数のアンテナ素子に接続される。ネットワーク装置は、基準信号を生成し、基準信号を処理し、端末装置を測位する機能を有するように構成された、分散アンテナシステム内の物理的または論理的エンティティである。本発明のこの実施形態では、ネットワーク装置の特定の形態は限定されない。所定数のスクランブリングコードを取得した後、ネットワーク装置は、所定数の基準信号を生成する。各基準信号は、異なるスクランブリングコードによってスクランブルされる。各基準信号は、異なる属性情報を有する。属性情報は、基準信号を生成するための擬似ランダム系列やリソースマッピング方式等を含み、このため、端末装置は、属性情報に基づいて対応する基準信号を復元することができる。所定数の基準信号が、所定数のアンテナ素子に送られる。特定の実装プロセスは次のとおりである。
【００７４】
ネットワーク装置は、最初に、異なる信号識別子を有する所定数の初期基準信号を生成する。所定数の初期基準信号は、異なる識別情報を有する。各初期基準信号は、固定コードワードに含まれる。固定コードワードを有する所定数の初期基準信号がスクランブリングモジュールに転送された後、スクランブリングモジュールは、スクランブリングコード生成モジュールによって生成された異なるスクランブリングコードに基づいて、所定数の初期基準信号を異なるコードワードにスクランブルし、所定数の基準信号を取得し、所定数の基準信号を所定数のアンテナ素子に送信する。
【００７５】
例えば、ネットワーク装置は、最初に3つの初期基準信号S1、S2、およびS3を生成する。S1、S2、およびS3は異なる識別情報を有し、すべてが固定コードワードC1に含まれる。スクランブリングコード生成モジュールは、2つのスクランブリングコードC4およびC5を生成する。スクランブリングモジュールは、異なる初期基準信号を異なるコードワードにスクランブルするために使用されてもよい。例えば、スクランブリングモジュールは、スクランブリングコードC4を用いてS2を含む固定コードワードC1をスクランブルしてS2を含むコードワードC2を取得し、スクランブリングモジュールはスクランブリングコードC5を用いてS3を含む固定コードワードC1をスクランブルしてS3を含むコードワードC3を取得する。ここで、基準信号S1のキャリア周波数をC1、基準信号S2のキャリア周波数をC2、基準信号S3のキャリア周波数をC3とする。このようにして、異なる基準信号の周波数が異なるキャリア周波数に変換される。
【００７６】
異なるスクランブリングコードは互いに直交している。
【００７７】
前述の説明では、説明のための例としてネットワーク装置が3つの基準信号を生成するだけであることに留意されたい。ネットワーク装置によって生成される初期基準信号の数は、本発明のこの実施形態では特に限定されない。スクランブリングコード生成モジュールによって生成されるスクランブリングコードの数は、ネットワーク装置によって生成される初期基準信号の所定数と同じであってもよく、または所定数から1を引いた数であってもよい。これは、本発明のこの実施形態において限定されない。スクランブリングコードの数が所定数から1を引いた数である場合、所定数の初期基準信号の1つに対してスクランブリングコードモジュールによってスクランブル処理が行われない。スクランブリングコードの数が所定数である場合、スクランブル処理は、スクランブリングコードモジュールによって、所定数の初期基準信号のそれぞれに対して実行される。
【００７８】
別の実施形態では、ネットワーク装置は、所定数のスクランブリングコードを直接取得し、所定数のスクランブリングコードに基づいて、異なるコードワードを有する所定数の基準信号を生成し、次いで、所定数の基準信号を所定数のアンテナ素子に送信する。
【００７９】
502．所定数のアンテナ素子の各々は、所定数の基準信号を受信した後、アンテナ素子のスクランブリングコードに対応する基準信号に対してデスクランブル処理を実行して特定の基準信号を取得し、特定の基準信号を端末装置に送信する。
【００８０】
本発明のこの実施形態では、所定数のアンテナ素子の各々は、所定数の基準信号を受信した後、アンテナ素子のスクランブリングコードに対応する基準信号に対してデスクランブル処理を実行して特定の基準信号を取得する。詳細なプロセスは次のとおりである。
【００８１】
各アンテナ素子のデスクランブリングモジュールは、デバイダを用いて所定数の基準信号を受信した後、特定のスクランブリングコードに基づいて、アンテナ素子のスクランブリングコードに対応する基準信号に対してデスクランブル処理を実行して、そのコードワードが固定コードワードである特定の基準信号を取得する。アンテナ素子のスクランブリングコードに対応する基準信号は、ネットワーク装置が、特定のスクランブリングコードと同一のスクランブリングコードを使用して任意の初期基準信号をスクランブルした後に得られる基準信号である。
【００８２】
例えば、3つのアンテナ素子A1、A2、およびA3がある。アンテナ素子A2のデスクランブリングモジュールはスクランブリングコードC4を生成し、アンテナ素子A3のデスクランブリングモジュールはスクランブリングコードC5を生成する。ステップ501の例を参照すると、アンテナ素子A2は、コードワードがC2である基準信号S2を受信した後、スクランブリングコードC4を用いてコードワードC2をデスクランブルして、コードワードが固定コードワードC1である基準信号S2を取得し、アンテナ素子A3は、コードワードがC3である基準信号S3を受信した後、スクランブリングコードC5を用いてコードワードC3をデスクランブルして、コードワードが固定コードワードC1である基準信号S3を取得し、アンテナ素子A1に含まれるデスクランブリングモジュールは、アンテナ素子A1が所定数の基準信号を受信した後、コードワードが固定コードワードC1である基準信号S1を直接取得する。最後に、各アンテナ素子は、異なる識別情報を有する特定の基準信号を取得し、特定の基準信号を端末装置に送信する。具体的には、アンテナ素子A1は基準信号S1を端末装置に送信し、アンテナ素子A2は基準信号S2を端末装置に送信し、アンテナ素子A3は基準信号S3を端末装置に送信する。
【００８３】
なお、すべてのアンテナ素子のデスクランブリングモジュールによって生成されるスクランブリングコードは、ネットワーク装置によってすべての基準信号に対して1対1の対応でスクランブル処理を実行するためのスクランブリングコードに等しくなければならない。各アンテナ素子は、このようにして異なる特定の基準信号を得ることができる。
【００８４】
別の実施形態では、各アンテナ素子は、偏波モジュールをさらに含むことができる。偏波モジュールは、特定の基準信号に対して偏波処理を行い、偏波された特定の基準信号を端末装置に送信するように構成される。異なるアンテナ素子の偏波モジュールによって示される偏波タイプは異なる。偏波タイプは、水平偏波、垂直偏波、円偏波、楕円偏波、特定の角度を有する偏波などであってもよい。これは、本発明のこの実施形態において限定されない。
【００８５】
503．端末装置は、ネットワーク装置によって構成された補助データに基づいて、少なくとも2つのアンテナ素子の識別子と、少なくとも2つのアンテナ素子のそれぞれに対応する基準信号の属性情報とを取得し、属性情報に基づいて少なくとも2つの基準信号を受信する。
【００８６】
本発明のこの実施形態では、このステップはステップ303のプロセスと同じであり、端末装置は、ネットワーク装置によって構成された補助データに基づいて、少なくとも2つのアンテナ素子の識別子と、少なくとも2つのアンテナ素子のそれぞれに対応する基準信号の属性情報とを取得し、属性情報に基づいて少なくとも2つの基準信号を受信する。ここで詳細は繰り返されない。
【００８７】
504．端末装置は、少なくとも2つの基準信号を測定して測位情報を取得し、測位情報と、測位情報に対応するアンテナ素子の識別情報とをネットワーク装置に送信する。
【００８８】
本発明のこの実施形態では、このステップはステップ304のプロセスと同じであり、端末装置は、少なくとも2つの基準信号を測定して測位情報を取得し、測位情報と、測位情報に対応するアンテナ素子の識別情報とをネットワーク装置に送信する。ここで詳細は繰り返されない。
【００８９】
505．ネットワーク装置は、受信した測位情報と、測位情報に対応するアンテナ素子の識別情報とに基づいて、端末装置の測位を行う。
【００９０】
本発明のこの実施形態では、このステップはステップ305のプロセスと同じであり、ネットワーク装置は受信した測位データに基づいて端末装置の測位を行う。ここで詳細は繰り返されない。
【００９１】
本発明のこの実施形態に係る方法によれば、ネットワーク装置は、所定数のスクランブリングコードに基づいて所定数の基準信号を生成し、各基準信号は異なるスクランブリングコードによってスクランブルされ、次いで所定数の基準信号を所定数のアンテナ素子に送信し、所定数のアンテナ素子の各々は、所定数の基準信号を受信した後、アンテナ素子のスクラブリングコードに対応する基準信号に対してデスクランブル処理を実行して、特定の基準信号を取得し、特定の基準信号を端末装置に送信し、端末装置は、ネットワーク装置によって構成された補助データに基づいて、少なくとも2つのアンテナ素子の識別子と、少なくとも2つのアンテナ素子のそれぞれに対応する基準信号の属性情報とを取得し、属性情報に基づいて少なくとも2つの基準信号を受信し、少なくとも2つの基準信号を測定して測位情報を取得し、測位情報と、測位情報に対応するアンテナ素子の識別情報とをネットワーク装置に送信する。異なるアンテナ素子によって得られる基準信号は異なるので、端末装置は、受信した基準信号がどのアンテナ素子から来るかを識別することができる。したがって、改良された分散アンテナシステムは、端末装置の測位を実現し、屋内の測位精度を改善することができる。
【００９２】
図6は、本発明の一実施形態に係る測位システムの構成図である。測位システムは、分散アンテナシステムである。端末装置が分散アンテナシステム内の異なるアンテナ素子によって送信された基準信号を確実に認識し、移動通信システムにおいて異なる信号が異なる偏波タイプを使用して偏波され得ることを考慮すると、受信側は、異なる周波数ドメインに基づいて受信信号を区別することができ、本発明のこの実施形態では、既存の分散アンテナシステムを改善するために、偏波分離法が使用される。図6を参照すると、分散アンテナシステムは、ネットワーク装置と、所定数のアンテナ素子とを含む。ネットワーク装置は、基準信号を生成し、基準信号を所定数のアンテナ素子に送信するように構成される。各アンテナ素子は、偏波モジュール、アンテナなどを含むか、または同じ機能を有する部分を含む。偏波モジュールは、特定の偏波タイプを使用して基準信号を偏波して、特定の基準信号を取得するように構成される。異なるアンテナ素子の偏波モジュールによって示される偏波タイプは異なる。偏波タイプは、水平偏波、垂直偏波、円偏波、楕円偏波、特定の角度を有する偏波などであってもよい。これは、本発明のこの実施形態において限定されない。次いで、アンテナを用いて取得した特定の基準信号を端末装置に送信する。最後に、異なるアンテナ素子は、異なる偏波タイプの基準信号を端末装置に送信する。また、各アンテナ素子の識別子とアンテナ素子に対応する基準信号の偏波タイプとの対応関係がネットワーク装置に記憶されている。
【００９３】
ネットワーク装置と所定数のアンテナ素子との間の接続は、物理接続、例えば、同軸ケーブルもしくは光ケーブル接続、または無線接続であってもよいことに留意されたい。これは、本発明のこの実施形態において限定されない。図6に示す分散アンテナシステムはカプラをさらに含み、カプラは、すべてのアンテナ素子に割り当てられた信号送信電力をできるだけ均一にするように構成されているので、すべてのアンテナ素子の送信電力は本質的に同じである。
【００９４】
図7は、本発明の一実施形態に係る図6の測位システムを参照して提供される測位方法のフローチャートである。相互作用するエンティティには、ネットワーク装置、所定数のアンテナ素子、および端末装置が含まれる。図7を参照すると、本発明のこの実施形態に係る方法のプロセスは、以下のステップを含む。
【００９５】
701．ネットワーク装置は、基準信号を生成し、基準信号を所定数のアンテナ素子に送信する。
【００９６】
本発明のこの実施形態では、ネットワーク装置は、分散アンテナシステムを形成するために所定数のアンテナ素子に接続される。ネットワーク装置は、基準信号を生成し、基準信号を処理し、端末装置を測位する機能を有するように構成された、分散アンテナシステム内の物理的または論理的エンティティである。本発明のこの実施形態では、ネットワーク装置の特定の形態は限定されない。基準信号を生成した後、ネットワーク装置は基準信号を所定数のアンテナ素子に送信する。このとき、ネットワーク装置は基準信号を処理せず、所定数のアンテナ素子のすべてが同じ基準信号を受信する。
【００９７】
702．所定数のアンテナ素子の各々は、基準信号を受信した後、特定の偏波タイプを用いて基準信号に対して偏波処理を実行して特定の基準信号を取得し、特定の基準信号を端末装置に送信する。
【００９８】
本発明のこの実施形態では、システム内の異なるアンテナ素子の偏波モジュールは、異なる偏波タイプを示す。偏波タイプは、水平偏波、垂直偏波、円偏波、楕円偏波、特定の角度を有する偏波などであってもよい。これは、本発明のこの実施形態において限定されない。各アンテナ素子は、基準信号を受信した後、偏波モジュールと特定の偏波タイプを用いて特定の信号に対して偏波処理を実行して特定の基準信号を取得し、特定の基準信号を端末装置に送信する。所定数のアンテナ素子が基準信号に対して偏波処理を実行した後、異なる偏波タイプの特定の基準信号が得られる。
【００９９】
例えば、システムは、3つのアンテナ素子A1、A2、およびA3を含む。アンテナ素子A1の偏波モジュールP1に対応する偏波タイプは水平偏波であり、アンテナ素子A2の偏波モジュールP2に対応する偏波タイプは円偏波であり、アンテナ素子A3の偏波モジュールP3に対応する偏波タイプは垂直偏波である。アンテナ素子A1は、基準信号を受信した後、偏波モジュールP1を用いて基準信号を水平偏波し、水平偏波された信号を端末装置に送信する。アンテナ素子A2は、基準信号を受信した後、偏波モジュールP2を用いて基準信号を円偏波し、円偏波された基準信号を端末装置に送信する。アンテナ素子A3は、基準信号を受信した後、偏波モジュールP3を用いて基準信号を垂直偏波し、垂直偏波された基準信号を端末装置に送信する。ここで、異なるアンテナ素子が異なる偏波タイプの基準信号を端末装置に送信し、このため、端末装置は、異なる偏波タイプに基づいて、受信した基準信号に対応するアンテナ素子を決定することができる。特定のプロセスの詳細については、ステップ703を参照されたい。
【０１００】
本発明のこの実施形態では、3つのアンテナ素子が説明のための一例として使用されていることに留意されたい。所定数のアンテナ素子は、実際のアプリケーションの間に限定されない。
【０１０１】
703．端末装置は、ネットワーク装置によって構成された補助データに基づいて、少なくとも2つのアンテナ素子の識別子と、少なくとも2つのアンテナ素子のそれぞれに対応する基準信号の偏波タイプとを取得し、偏波タイプに基づいて少なくとも2つの基準信号を受信する。
【０１０２】
本発明のこの実施形態では、端末装置測位プロセスは、端末装置側によって開始されてもよいし、ネットワーク装置側によって開始されてもよい。これは、本発明のこの実施形態において限定されない。以下では、端末装置側で測位を開始する例を用いて説明する。端末装置によって送信された測位要求を受信した後、ネットワーク装置は測位能力要求シグナリングを端末装置に送信する。シグナリングを受信した後、端末装置は、利用可能なハードウェアリソース、測位計算能力、信号品質などを含む対応する測位能力情報を応答する。次に、端末装置は、補助データ要求をネットワーク装置に送信する。ネットワーク装置は、補助データ要求を受信した後、構成された補助データを返す。補助データは、少なくとも2つのアンテナ素子の識別子と、少なくとも2つのアンテナ素子のそれぞれに対応する基準信号の偏波タイプとを含む。端末装置は、ネットワーク装置によって構成された補助データに基づいて、少なくとも2つのアンテナ素子の識別子と、少なくとも2つのアンテナ素子のそれぞれに対応する基準信号の偏波タイプとを取得し、偏波タイプに基づいて少なくとも2つの基準信号を受信する。ステップ702の例を参照すると、各アンテナ素子の識別子とアンテナ素子に対応する基準信号の偏波タイプとの間の補助データにおける対応関係については、表1を参照されたい：
【０１０３】
【表１】
2019505781.tif 000003
【０１０４】
端末装置は、偏波タイプがP1である基準信号を受信した後、表1に示す対応関係に基づいて、P1に対応するアンテナ素子識別子A1を取得することができる。同様に、端末装置は、偏波タイプがP2である基準信号に対応するアンテナ素子識別子A2と、偏波タイプがP3である基準信号に対応するアンテナ素子識別子A3とを取得することができる。
【０１０５】
なお、ネットワーク装置によって端末装置に送信される補助データは、基準信号受信時間ウィンドウをさらに含むことができるので、基準信号受信時間ウィンドウを受信した後、端末装置は、偏波タイプに基づいて、基準信号受信時間ウィンドウ内の基準信号のみを受信する。これにより、端末装置の消費電力を低減することができる。
【０１０６】
704．端末装置は、少なくとも2つの基準信号を測定して測位情報を取得し、測位情報と、測位情報に対応するアンテナ素子の識別情報とをネットワーク装置に送信する。
【０１０７】
本発明のこの実施形態では、このステップはステップ304のプロセスと同じであり、端末装置は、少なくとも2つの基準信号を測定して測位情報を取得し、測位情報と、測位情報に対応するアンテナ素子の識別情報とをネットワーク装置に送信する。ここで詳細は繰り返されない。
【０１０８】
705．ネットワーク装置は、受信した測位情報と、測位情報に対応するアンテナ素子の識別情報とに基づいて、端末装置の測位を行う。
【０１０９】
本発明のこの実施形態では、このステップはステップ305のプロセスと同じであり、ネットワーク装置は受信した測位データに基づいて端末装置の測位を行う。ここで詳細は繰り返されない。
【０１１０】
本発明のこの実施形態に係る方法によれば、ネットワーク装置は、生成された基準信号を所定数のアンテナ素子に送信し、所定数のアンテナ素子の各々は、基準信号を受信した後、特定の偏波タイプを使用して基準信号に対して偏波処理を実行して、特定の基準信号を取得し、特定の基準信号を端末装置に送信し、端末装置は、ネットワーク装置によって構成された補助データに基づいて、少なくとも2つのアンテナ素子の識別子と、少なくとも2つのアンテナ素子のそれぞれに対応する基準信号の偏波タイプとを取得し、属性情報に基づいて少なくとも2つの基準信号を受信し、少なくとも2つの基準信号を測定して測位情報を取得し、測位情報と、測位情報に対応するアンテナ素子の識別情報とをネットワーク装置に送信する。異なるアンテナ素子は、基準信号を偏波するために異なる偏波タイプを使用することができるので、端末装置は、偏波タイプに基づいて、受信した基準信号がどのアンテナ素子から来るかを知ることができる。したがって、改良された分散アンテナシステムは、端末装置の測位を実現し、屋内の測位精度を改善することができる。
【０１１１】
前述の実施形態は、別々に実施されてもよく、または組み合わされて実施されてもよいことに留意されたい。これは、本発明のこの実施形態において限定されない。
【０１１２】
図8は、本発明の一実施形態に係る端末装置の概略構成図である。図8を参照すると、端末装置は、受信機801、送信機802、プロセッサ803、およびメモリ804を含む。受信機801、送信機802、およびメモリ804はプロセッサ803に別々に接続されており、プロセッサ803は、ネットワーク装置によって構成された補助データに基づいて、少なくとも2つのアンテナ素子の識別子と、少なくとも2つのアンテナ素子のそれぞれに対応する基準信号の属性情報とを取得し、属性情報に基づいて少なくとも2つの基準信号を受信し、少なくとも2つの基準信号は、少なくとも2つのアンテナ素子の対応するアンテナ素子によってそれぞれ送信され、少なくとも2つの基準信号を測定することによって測位情報を取得し、測位情報と、測位情報に対応するアンテナ素子の識別情報とをネットワーク装置に送信するように構成される。
【０１１３】
任意選択的に、測位情報は到着時間差を含み、プロセッサ803は、少なくとも2つの基準信号の、2つのアンテナ素子それぞれによって送信された基準信号間の到着時間差を取得するように構成される。端末装置は、各基準信号を送信するアンテナ素子を識別することができるので、観測到着時間差による測位方法を分散測位システムに適用して屋内測位を実施することができる。
【０１１４】
任意選択的に、プロセッサ803は、ネットワーク装置によって送信された補助データを受信するように構成される。補助データに基づいて、アンテナ素子によって送信された基準信号を受信して区別することができるので、屋内測位を実施することができる。
【０１１５】
本発明のこの実施形態に係る端末装置は、ネットワーク装置によって構成された補助データに基づいて、少なくとも2つのアンテナ素子の識別子と、少なくとも2つのアンテナ素子のそれぞれに対応する基準信号の属性情報とを取得し、属性情報に基づいて少なくとも2つの基準信号を受信し、少なくとも2つの基準信号は、少なくとも2つのアンテナ素子の対応するアンテナ素子によってそれぞれ送信され、少なくとも2つの基準信号を測定することによって測位情報を取得し、測位情報と、測位情報に対応するアンテナ素子の識別情報とをネットワーク装置に送信する。端末装置は、受信した基準信号がどのアンテナ素子から来るかを識別することができる。したがって、改良された分散アンテナシステムは、端末装置の測位を実現し、屋内の測位精度を改善することができる。
【０１１６】
図9は、本発明の一実施形態に係る測位情報送信装置のブロック図である。図9を参照すると、装置は、取得モジュール901と、受信モジュール902と、測定モジュール903と、送信モジュール904とを含む。
【０１１７】
取得モジュール901は、受信モジュール902に接続され、ネットワーク装置によって構成される補助データに基づいて、少なくとも2つのアンテナ素子の識別子と、少なくとも2つのアンテナ素子のそれぞれに対応する基準信号の属性情報とを取得するように構成される。受信モジュール902は、測定モジュール903に接続され、属性情報に基づいて少なくとも2つの基準信号を受信するように構成される。少なくとも2つの基準信号は、少なくとも2つのアンテナ素子の対応するアンテナ素子によってそれぞれ送信される。測定モジュール903は、送信モジュール904に接続され、少なくとも2つの基準信号を測定することによって測位情報を取得するように構成される。送信モジュール904は、測位情報と、測位情報に対応するアンテナ素子の識別情報とをネットワーク装置に送信するように構成される。
【０１１８】
任意選択的に、測位情報は到着時間差を含む。測定モジュール903は、少なくとも2つの基準信号の、2つのアンテナ素子それぞれによって送信された基準信号間の到着時間差を取得するように構成される。端末装置は、各基準信号を送信するアンテナ素子を識別することができるので、観測到着時間差による測位方法を分散測位システムに適用して屋内測位を実施することができる。
【０１１９】
任意選択的に、受信モジュール902は、ネットワーク装置によって送信された補助データを受信するようにさらに構成される。補助データに基づいて、アンテナ素子によって送信された基準信号を受信して区別することができるので、屋内測位を実施することができる。
【０１２０】
本発明のこの実施形態に係る装置は、ネットワーク装置によって構成された補助データに基づいて、少なくとも2つのアンテナ素子の識別子と、少なくとも2つのアンテナ素子のそれぞれに対応する基準信号の属性情報とを取得し、属性情報に基づいて少なくとも2つの基準信号を受信し、少なくとも2つの基準信号は、少なくとも2つのアンテナ素子の対応するアンテナ素子によってそれぞれ送信され、少なくとも2つの基準信号を測定することによって測位情報を取得し、測位情報と、測位情報に対応するアンテナ素子の識別情報とをネットワーク装置に送信する。端末装置は、受信した基準信号がどのアンテナ素子から来るかを識別することができる。したがって、改良された分散アンテナシステムは、端末装置の測位を実現し、屋内の測位精度を改善することができる。
【０１２１】
図10は、本発明の一実施形態に係るネットワーク装置の概略構成図である。図10を参照すると、ネットワーク装置は、受信機1001、送信機1002、メモリ1003、およびプロセッサ1004を含む。受信機1001、送信機1002、およびメモリ1003は、プロセッサ1004に別々に接続され、プロセッサ1004は、所定数の基準信号を生成するように構成される。各基準信号は、異なる属性情報を有する。ネットワーク装置は、周波数変換モジュール1005および局部発振器モジュール1006をさらに含む。局部発振器モジュールは周波数変換モジュールに接続され、周波数変換モジュールは送信機に接続される。周波数変換モジュールは、局部発振器モジュールによって生成された異なる局部周波数に基づいて、生成された所定数の基準信号のキャリア周波数を異なるキャリア周波数にそれぞれ変換するように構成され、所定数の基準信号は送信機を介して所定数のアンテナ素子に送信される。
【０１２２】
本発明のこの実施形態に係るネットワーク装置は、各基準信号が異なる識別情報を有する所定数の基準信号を生成し、所定数の基準信号の周波数を異なるキャリア周波数に変換し、所定数の基準信号を所定数のアンテナ素子に送信する。所定数のアンテナ素子の各々は、アンテナ素子に対応するキャリア周波数で搬送される基準信号を取得する。ネットワーク装置は、異なる識別情報を有する基準信号を異なるアンテナ素子に割り当てるために、周波数ドメイン分離手法を使用し、このため、端末装置は、受信した基準信号がどのアンテナ素子から来るかを識別することができる。したがって、改良された分散アンテナシステムは、端末装置の測位を実現し、屋内の測位精度を改善することができる。
【０１２３】
図11は、本発明の一実施形態に係るネットワーク装置の概略構成図である。図11を参照すると、ネットワーク装置は、受信機1101、送信機1102、メモリ1103、およびプロセッサ1104を含む。受信機1101、送信機1102、およびメモリ1103は、プロセッサ1104に別々に接続され、プロセッサ1104は、所定数のスクランブリングコードを取得し、所定数の基準信号を生成するように構成される。各基準信号は、異なるスクランブリングコードによってスクランブルされる。ネットワーク装置は、スクランブリングモジュール1105およびスクランブリングコード生成モジュール1106をさらに含む。スクランブリングモジュールは、スクランブリングコード生成モジュールに接続され、スクランブリングモジュールは、送信機に接続される。スクランブリングコード生成モジュールは、所定数のスクランブリングコードを生成するように構成される。スクランブリングモジュールは、所定数の基準信号を生成するように構成される。各基準信号は、異なるスクランブリングコードによってスクランブルされる。所定数の基準信号は、送信機を介して所定数のアンテナ素子に送られる。
【０１２４】
本発明のこの実施形態に係るネットワーク装置は、所定数のスクランブリングコードを取得し、すべての基準信号が異なるスクランブリングコードによってスクランブルされる所定数の基準信号を生成し、所定数の基準信号を所定数のアンテナ素子に送信する。所定数のアンテナ素子の各々は、アンテナ素子のスクランブリングコードに対応する基準信号を取得する。ネットワーク装置は、異なる識別情報を有する基準信号を異なるアンテナ素子に割り当てるために、コードドメイン分離手法を使用し、このため、端末装置は、受信した基準信号がどのアンテナ素子から来るかを識別することができる。したがって、改良された分散アンテナシステムは、端末装置の測位を実現し、屋内の測位精度を改善することができる。
【０１２５】
本発明の別の実施形態は、測位システムをさらに提供する。システムは、ネットワーク装置と、複数のアンテナ素子とを含む。ネットワーク装置は、異なる識別情報を有する複数の基準信号を生成し、複数の基準信号のキャリア周波数を異なるキャリア周波数にそれぞれ変換し、複数の基準信号を複数のアンテナ素子に送信するように構成される。複数の基準信号は、異なる測位基準信号である。複数のアンテナ素子の各々は、ネットワーク装置によって送信された複数の基準信号を受信した後、アンテナ素子に対応するキャリア周波数で搬送される基準信号に対して周波数混合処理を実行して、特定の基準信号を取得し、特定の基準信号を端末装置に送信するように構成される。
【０１２６】
任意選択的に、各アンテナ素子は、特定の基準信号を取得した後、特定の基準信号に対して、特定の偏波タイプを用いて偏波処理を実行し、偏波された特定の基準信号を端末装置に送信するようにさらに構成される。異なるアンテナ素子は、異なる偏波タイプを使用することによって基準信号を偏波することができる。したがって、端末装置は、基準信号の偏波タイプに基づいて基準信号を送信するアンテナ素子を認識することができる。このようにして、測位精度が改善される。
【０１２７】
本発明の実施形態に係るシステムによれば、ネットワーク装置は、所定数の基準信号を生成した後、所定数の基準信号の周波数を異なるキャリア周波数に変換し、所定数の基準信号を所定数のアンテナ素子に送信する。所定数のアンテナ素子の各々は、所定数の基準信号を受信した後、アンテナ素子に対応するキャリア周波数で搬送される基準信号に対して周波数混合処理を実行して、特定の基準信号を取得し、特定の基準信号を端末装置に送信する。異なるアンテナ素子によって得られる基準信号は異なるので、端末装置は、受信した基準信号がどのアンテナ素子から来るかを識別することができる。したがって、改良された分散アンテナシステムは、端末装置の測位を実現し、屋内の測位精度を改善することができる。
【０１２８】
本発明の別の実施形態は、測位システムをさらに提供する。システムは、ネットワーク装置と、複数のアンテナ素子とを含む。ネットワーク装置は、所定数のスクランブリングコードを取得し、各基準信号が異なるスクランブリングコードによってスクランブルされる複数の基準信号を生成し、複数の基準信号を複数のアンテナ素子に送信するように構成される。複数のアンテナ素子の各々は、複数の基準信号を受信した後、アンテナ素子のスクランブリングコードに対応する基準信号に対してデスクランブル処理を実行して特定の基準信号を取得し、特定の基準信号を端末装置に送信するように構成される。
【０１２９】
任意選択的に、各アンテナ素子は、特定の基準信号を取得した後、特定の基準信号に対して、特定の偏波タイプを用いて偏波処理を実行し、偏波された特定の基準信号を端末装置に送信するようにさらに構成される。異なるアンテナ素子は、異なる偏波タイプを使用することによって基準信号を偏波することができる。したがって、端末装置は、基準信号の偏波タイプに基づいて基準信号を送信するアンテナ素子を認識することができる。このようにして、測位精度が改善される。
【０１３０】
本発明のこの実施形態に係るシステムによれば、ネットワーク装置は、すべての基準信号が異なるスクランブリングコードによってスクランブルされる所定数のスクランブリングコードに基づいて所定数の基準信号を生成し、次いで、所定数の基準信号を所定数のアンテナ素子に送信する。所定数のアンテナ素子の各々は、所定数の基準信号を受信した後、アンテナ素子のスクランブリングコードに対応する基準信号に対してデスクランブル処理を実行して特定の基準信号を取得し、特定の基準信号を端末装置に送信する。異なるアンテナ素子によって得られる基準信号は異なるので、端末装置は、受信した基準信号がどのアンテナ素子から来るかを識別することができる。したがって、改良された分散アンテナシステムは、端末装置の測位を実現し、屋内の測位精度を改善することができる。
【０１３１】
本発明の別の実施形態は、測位システムをさらに提供する。システムは、ネットワーク装置と、複数のアンテナ素子とを含む。ネットワーク装置は、基準信号を生成し、基準信号を複数のアンテナ素子に送信するように構成される。複数のアンテナ素子の各々は、基準信号を受信した後、特定の偏波タイプを用いて基準信号に対して偏波処理を実行して、異なる偏波タイプの複数の基準信号を取得し、複数の基準信号を端末装置に送信するように構成される。
【０１３２】
この実施形態で提供されるシステムによれば、ネットワーク装置は、生成された基準信号を所定数のアンテナ素子に送信し、所定数のアンテナ素子の各々は、基準信号を受信した後、特定の偏波タイプを用いて基準信号に対して偏波処理を実行して特定の基準信号を取得し、特定の基準信号を端末装置に送信する。異なるアンテナ素子は、基準信号を偏波するために異なる偏波タイプを使用することができるので、端末装置は、偏波タイプに基づいて、受信した基準信号がどのアンテナ素子から来るかを知ることができる。したがって、改良された分散アンテナシステムは、端末装置の測位を実現し、屋内の測位精度を改善することができる。
【０１３３】
本発明の別の実施形態は、アンテナ素子をさらに提供する。図2に示すように、アンテナ素子は、デバイダと、周波数混合モジュールと、アンテナとを含む。
【０１３４】
周波数混合モジュールは、特定の局部周波数を生成し、デバイダを用いて所定数の基準信号を受信した後、特定の局部周波数に基づいて、アンテナ素子に対応するキャリア周波数で搬送される基準信号に対して周波数混合処理を実行して特定の基準信号を取得するように構成され、特定の基準信号は、アンテナによって端末装置に送信される。
【０１３５】
本発明の実施形態に係るアンテナ素子は、所定数の基準信号を受信した後、アンテナ素子に対応するキャリア周波数で搬送される基準信号に対して周波数混合処理を実行して、特定の基準信号を取得し、特定の基準信号を端末装置に送信する。アンテナ素子は、アンテナ素子に対応するキャリア周波数上の基準信号を取得することができるので、端末装置は、受信した基準信号がどのアンテナ素子から来るかを識別することができる。したがって、改良された分散アンテナシステムは、端末装置の測位を実現し、屋内の測位精度を改善することができる。
【０１３６】
他の実装形態では、本発明の実施形態は、アンテナ素子をさらに提供する。図4に示すように、アンテナ素子は、デバイダ、デスクランブリングモジュール、およびアンテナを含む。デスクランブリングモジュールは、特定のスクランブリングコードを生成し、デバイダを用いて所定数の基準信号を受信した後、特定のスクランブリングコードに基づいて、アンテナ素子のスクランブリングコードに対応する基準信号に対してデスクランブル処理を実行して特定の基準信号を取得するように構成され、特定の基準信号は、アンテナによって端末装置に送信される。
【０１３７】
本発明の実施形態に係るアンテナ素子によれば、デスクランブリングモジュールは、特定のスクランブリングコードを生成し、デバイダを用いて所定数の基準信号を受信した後、特定のスクランブリングコードに基づいて、アンテナ素子のスクランブリングコードに対応する基準信号に対してデスクランブル処理を実行して特定の基準信号を取得するように構成され、特定の基準信号は、アンテナによって端末装置に送信される。異なるアンテナ素子によって得られる基準信号は異なるので、端末装置は、受信した基準信号がどのアンテナ素子から来るかを識別することができる。したがって、改良された分散アンテナシステムは、端末装置の測位を実現し、屋内の測位精度を改善することができる。
【０１３８】
本発明の別の実施形態は、アンテナ素子をさらに提供する。図6に示すように、アンテナ素子は、偏波モジュールとアンテナとを含む。偏波モジュールは、基準信号を受信した後、特定の偏波タイプを用いて基準信号に対して偏波処理を実行して特定の基準信号を取得するように構成される。特定の基準信号は、アンテナによって端末装置に送信される。異なるアンテナ素子は、基準信号を偏波するために異なる偏波タイプを使用することができるので、端末装置は、偏波タイプに基づいて、受信した基準信号がどのアンテナ素子から来るかを知ることができる。したがって、改良された分散アンテナシステムは、端末装置の測位を実現し、屋内の測位精度を改善することができる。
【０１３９】
当業者は、実施形態のステップの全部または一部が、ハードウェアまたは関連するハードウェアを指示するプログラムにより実施され得ることを理解することができる。プログラムは、コンピュータ読み取り可能な記憶媒体に記憶されてもよい。記憶媒体は、読み出し専用メモリ、磁気ディスク、または光ディスクなどを含んでもよい。
【０１４０】
前述の説明は、本発明の実施形態の単なる例であり、本発明を限定することを意図されていない。本発明の趣旨および原理から逸脱することなくなされた任意の修正、同等の置換、および改良は、本発明の保護範囲内に入るものとする。
【符号の説明】
【０１４１】
801  受信機
802  送信機
803  プロセッサ
804  メモリ
901  取得モジュール
902  受信モジュール
903  測定モジュール
904  送信モジュール
1001  受信機
1002  送信機
1003  メモリ
1004  プロセッサ
1005  周波数変換モジュール
1006  局部発振器モジュール
1101  受信機
1102  送信機
1103  メモリ
1104  プロセッサ
1105  スクランブリングモジュール
1106  スクランブリングコード生成モジュール
【図１】
2019505781.tif 000004
【図２】
2019505781.tif 000005
【図３】
2019505781.tif 000006
【図４】
2019505781.tif 000007
【図５】
2019505781.tif 000008
【図６】
2019505781.tif 000009
【図７】
2019505781.tif 000010
【図８】
2019505781.tif 000011
【図９】
2019505781.tif 000012
【図１０】
2019505781.tif 000013
【図１１】
2019505781.tif 000014
【手続補正書】
【提出日】平成30年8月9日(2018.8.9)
【手続補正１】
【補正対象書類名】特許請求の範囲
【補正対象項目名】全文
【補正方法】変更
【補正の内容】
【特許請求の範囲】
【請求項１】
受信機と、送信機と、プロセッサと、メモリとを備えた端末装置であって、前記受信機、前記送信機、および前記メモリは、前記プロセッサに別々に接続され、前記プロセッサは、
ネットワーク装置によって構成された補助データに基づいて、少なくとも2つのアンテナ素子の識別子と、前記少なくとも2つのアンテナ素子のそれぞれに対応する基準信号の属性情報とを取得し、前記属性情報に基づいて少なくとも2つの基準信号を受信し、前記少なくとも2つの基準信号は、前記少なくとも2つのアンテナ素子の対応するアンテナ素子によってそれぞれ送信され、前記少なくとも2つの基準信号を測定することによって測位情報を取得し、前記測位情報と、前記測位情報に対応するアンテナ素子の識別情報とを前記ネットワーク装置に送信する
ように構成される、端末装置。
【請求項２】
前記測位情報が到着時間差を含み、前記プロセッサは、前記少なくとも2つの基準信号の、2つのアンテナ素子それぞれによって送信された基準信号間の到着時間差を取得するように構成される、請求項1に記載の端末装置。
【請求項３】
前記プロセッサが、前記ネットワーク装置によって送信された前記補助データを受信するように構成される、請求項1に記載の端末装置。
【請求項４】
受信機と、送信機と、プロセッサと、メモリとを備えたネットワーク装置であって、前記受信機、前記送信機、および前記メモリは前記プロセッサに別々に接続され、前記プロセッサは所定数の基準信号を生成するように構成され、各基準信号は、異なる属性情報を有し、
前記ネットワーク装置は、周波数変換モジュールおよび局部発振器モジュールをさらに備え、前記局部発振器モジュールは前記周波数変換モジュールに接続され、前記周波数変換モジュールは前記送信機に接続され、
前記周波数変換モジュールは、前記局部発振器モジュールによって生成された異なる局部周波数に基づいて、前記生成された所定数の基準信号のキャリア周波数を異なるキャリア周波数にそれぞれ変換するように構成され、前記所定数の基準信号は前記送信機を介して所定数のアンテナ素子に送信される、
ネットワーク装置。
【請求項５】
受信機と、送信機と、プロセッサと、メモリとを備えたネットワーク装置であって、前記受信機、前記送信機、および前記メモリは前記プロセッサに別々に接続され、前記プロセッサは所定数のスクランブリングコードを取得し、所定数の基準信号を生成するように構成され、各基準信号は異なるスクランブリングコードによってスクランブルされ、各基準信号は異なる属性情報を有し、
前記ネットワーク装置は、スクランブリングモジュールと、スクランブリングコード生成モジュールとをさらに備え、前記スクランブリングモジュールは、前記スクランブリングコード生成モジュールに接続され、前記スクランブリングモジュールは、前記送信機に接続され、
前記スクランブリングコード生成モジュールは、所定数のスクランブリングコードを生成するように構成され、
前記スクランブリングモジュールは、所定数の基準信号を生成するように構成され、各基準信号は、異なるスクランブリングコードによってスクランブルされ、前記所定数の基準信号は、前記送信機を介して所定数のアンテナ素子に送信される、
ネットワーク装置。
【請求項６】
ネットワーク装置と複数のアンテナ素子とを備えた測位システムであって、
前記ネットワーク装置は、複数の基準信号を生成し、前記複数の基準信号のキャリア周波数を異なるキャリア周波数にそれぞれ変換し、前記複数の基準信号を前記複数のアンテナ素子に送信するように構成され、各基準信号は異なる属性情報を有し、
前記複数のアンテナ素子の各々は、前記ネットワーク装置によって送信された前記複数の基準信号を受信した後、前記アンテナ素子に対応するキャリア周波数で搬送される基準信号に対して周波数混合処理を実行し、特定の基準信号を取得し、前記特定の基準信号を端末装置に送信するように構成される、
測位システム。
【請求項７】
各アンテナ素子が、前記特定の基準信号を取得した後、前記特定の基準信号に対して、特定の偏波タイプを用いて偏波処理を実行し、前記偏波された特定の基準信号を前記端末装置に送信するようにさらに構成される、請求項6に記載のシステム。
【請求項８】
ネットワーク装置と複数のアンテナ素子とを備えた測位システムであって、
前記ネットワーク装置は、所定数のスクランブリングコードを取得し、各基準信号が異なるスクランブリングコードによってスクランブルされ、各基準信号が異なる属性情報を有する複数の基準信号を生成し、前記複数のアンテナ素子に前記複数の基準信号を送信するように構成され、
前記複数のアンテナ素子の各々は、前記複数の基準信号を受信した後、前記アンテナ素子のスクランブリングコードに対応する基準信号に対してデスクランブル処理を実行して、特定の基準信号を取得し、前記特定の基準信号を端末装置に送信するように構成される、
測位システム。
【請求項９】
各アンテナ素子が、前記特定の基準信号を取得した後、前記特定の基準信号に対して、特定の偏波タイプを用いて偏波処理を実行し、前記偏波された特定の基準信号を前記端末装置に送信するようにさらに構成される、請求項8に記載のシステム。
【請求項１０】
ネットワーク装置と複数のアンテナ素子とを備えた測位システムであって、
前記ネットワーク装置は、基準信号を生成し、前記基準信号を前記複数のアンテナ素子に送信するように構成され、
前記複数のアンテナ素子の各々は、前記基準信号を受信した後、前記基準信号に対して特定の偏波タイプを用いて偏波処理を実行し、異なる偏波タイプの複数の基準信号を取得し、前記複数の基準信号を端末装置に送信するように構成される、
測位システム。
【請求項１１】
コンピュータによって実行される時、
ネットワーク装置によって構成された補助データに基づいて、少なくとも2つのアンテナ素子の識別子と、前記少なくとも2つのアンテナ素子のそれぞれに対応する基準信号の属性情報とを取得するステップと、
前記属性情報に基づいて少なくとも2つの基準信号を受信するステップであって、前記少なくとも2つの基準信号は、前記少なくとも2つのアンテナ素子の対応するアンテナ素子によってそれぞれ送信される、受信するステップと、
前記少なくとも2つの基準信号を測定することによって測位情報を取得し、前記測位情報と、前記測位情報に対応するアンテナ素子の識別情報とを前記ネットワーク装置に送信するステップと
をコンピュータに実行させるプログラムを記録したコンピュータ読み取り可能な記録媒体。
【請求項１２】
コンピュータによって実行される時、
所定数の基準信号を生成するステップであって、各基準信号は、異なる属性情報を有する、生成するステップと、
異なる局部周波数に基づいて、前記生成された所定数の基準信号のキャリア周波数を異なるキャリア周波数にそれぞれ変換するステップであって、前記所定数の基準信号は送信機を介して所定数のアンテナ素子に送信される、変換するステップと
をコンピュータに実行させるプログラムを記録したコンピュータ読み取り可能な記録媒体。
【請求項１３】
コンピュータによって実行される時、
所定数のスクランブリングコードを取得し、所定数の基準信号を生成するステップであって、各基準信号は異なるスクランブリングコードによってスクランブルされ、各基準信号は異なる属性情報を有する、ステップと、
所定数のスクランブリングコードを生成するステップと、
所定数の基準信号を生成するステップであって、各基準信号は、異なるスクランブリングコードによってスクランブルされ、前記所定数の基準信号は、送信機を介して所定数のアンテナ素子に送信される、生成するステップと
をコンピュータに実行させるプログラムを記録したコンピュータ読み取り可能な記録媒体。
【手続補正２】
【補正対象書類名】明細書
【補正対象項目名】０００３
【補正方法】変更
【補正の内容】
【０００３】
従来技術では、移動通信ネットワークに基づく頻繁に使用される測位方法は、OTDOA（observed time difference of arrival、観測到着時間差）技術である。この測位方法の測位プロセスでは、複数の基地局から送信された異なるPRS（positioning reference signal、測位基準信号）を受信した後、端末装置が受信した2つのPRSの時間差を算出し、複数の時間差と各時間差に対応する基地局識別子とを測位サーバに送信する。測位サーバは、時間差とその時間差に対応する基地局識別子とのそれぞれについて、時間差と基地局識別子に対応する基地局位置とに基づいて双曲線測位領域を算出し、最終的に複数の双曲線測位領域を取得する。次いで、複数の双曲測位領域の交点を算出することにより、端末装置の位置情報を取得する。
【手続補正３】
【補正対象書類名】明細書
【補正対象項目名】０００５
【補正方法】変更
【補正の内容】
【０００５】
測位プロセスでは、測位に参加するノードがマクロ基地局である。屋内環境では、マルチパス環境やNLOS（non line of sight、非見通し）環境などの伝搬環境の影響により、端末装置が受信する信号の品質が弱い、あるいは信号が受信されない。その結果、正確な測位を行うことができず、測位精度が悪い。
【手続補正４】
【補正対象書類名】明細書
【補正対象項目名】００５７
【補正方法】変更
【補正の内容】
【００５７】
端末装置は、各基準信号の属性情報に基づいて少なくとも2つの基準信号を復元する。次いで、端末装置は、複数のアンテナ素子によって送信された複数の基準信号から、復元された各基準信号と同じ基準信号を受信し、対応するアンテナ素子の識別情報を取得する。アンテナ素子の識別情報は、アンテナ素子の名前、デバイス番号、ID（identifier、識別子）番号、物理アドレス、IP（internet protocol、インターネットプロトコル）アドレス等であってもよい。これは、本発明のこの実施形態において限定されない。
【手続補正５】
【補正対象書類名】明細書
【補正対象項目名】００６７
【補正方法】変更
【補正の内容】
【００６７】
なお、端末装置は、到着時間差測定の測位方法を用いて端末装置を測位する場合、端末装置は、少なくとも2つの到着時間差と、各到着時間差に対応するアンテナ素子の識別情報とをネットワーク装置に送信し、このため、ネットワーク装置は、各到着時間差および到着時間差に対応するアンテナ素子の物理的位置に基づいて、少なくとも2つの双曲測位領域を取得し、端末装置の位置を決定するために少なくとも2つの双曲線測位領域の交差位置を算出することができる。次いで、端末装置の測位が完了する。
【国際調査報告】
2019505781.tif 000015
2019505781.tif 000016
2019505781.tif 000017
2019505781.tif 000018